(57)【要約】【課題】使用者のストレスを軽減可能に湯切れ予防運転が可能な貯湯式給湯機を提供する。【解決手段】貯湯式給湯機は、貯湯タンクと、貯湯タンク内の湯水を沸き上げるヒートポンプユニットと、貯湯タンク内の湯水と市水とを混合する給湯用電動混合弁と、給湯温度と当該給湯温度より低い予防給湯温度とを設定可能なリモコンと、給湯用電動混合弁を制御する本体ユニット制御部とを備える。本体ユニット制御部は、ヒートポンプユニットが貯湯タンク内の湯水を沸き上げている場合、給湯用電動混合弁から出湯される湯水の温度が予防給湯温度となるよう給湯用電動混合弁を制御する。【選択図】  図３
2010276292.tif 000002
【特許請求の範囲】
【請求項１】
湯水を貯留する貯湯タンクと、
前記貯湯タンク内の湯水を沸き上げるヒートポンプユニットと、
前記貯湯タンク内の湯と市水とを混合する給湯用電動混合弁と、
給湯温度を設定する操作入力を受け付ける第１入力受付手段と、
前記給湯用電動混合弁から出湯される湯水が前記給湯温度となるよう前記給湯用電動混合弁を制御する制御手段と、
前記給湯温度とは別に当該給湯温度よりも低い温度である予防給湯温度を設定する操作入力を受け付ける第２入力受付手段とを備え、
前記制御手段は、前記ヒートポンプユニットが前記貯湯タンク内の湯水を沸き上げている場合、前記給湯用電動混合弁から出湯される湯水の温度が前記予防給湯温度となるよう前記給湯用電動混合弁を制御する
ことを特徴とする貯湯式給湯機。
【請求項２】
給湯の停止を設定する操作入力を受け付ける第３入力受付手段を更に備え、
前記制御手段は、給湯の停止が設定されている場合、前記貯湯タンク内の湯水を出湯しないよう前記給湯用電動混合弁を制御する
ことを特徴とする請求項１に記載の貯湯式給湯機。
【請求項３】
湯水を貯留する貯湯タンクと、
前記貯湯タンク内の湯水を沸き上げるヒートポンプユニットと、
前記貯湯タンク内の湯と市水とを混合するふろ用電動混合弁と、
前記ふろ用電動混合弁から出湯される湯水の浴槽への供給及び停止を制御するためのふろ給湯電磁弁と、
前記浴槽に湯はりされる湯水の温度であるふろ温度を設定する操作入力を受け付ける第１入力受付手段と、
前記浴槽に湯はりする際に、前記ふろ用電動混合弁から出湯される湯水を浴槽へ供給するよう前記ふろ給湯電磁弁を制御すると共に、湯はりされる湯水の温度が前記ふろ温度となるように前記ふろ用電動混合弁を制御する制御手段と、
前記ふろ温度とは別に当該のふろ温度よりも低い温度である予防ふろ温度を設定する操作入力を受け付ける第２入力受付手段とを備え、
前記制御手段は、前記ヒートポンプユニットが前記貯湯タンク内の湯水を沸き上げている場合、前記浴槽に湯はりされる湯水の温度が前記予防ふろ温度となるよう前記ふろ用電動混合弁を制御する
ことを特徴とする貯湯式給湯機。
【請求項４】
湯水を貯留する貯湯タンクと、
前記貯湯タンク内の湯水を沸き上げるヒートポンプユニットと、
前記貯湯タンク内の湯水と市水とを混合するふろ用電動混合弁と、
前記ふろ用電動混合弁から出湯される湯水の浴槽への供給及び停止を制御するためのふろ給湯電磁弁と、
前記浴槽に湯はりされる湯水の量であるふろ湯量を設定する操作入力を受け付ける第１入力受付手段と、
前記浴槽に湯はりされる湯水の量が前記ふろ湯量となるように前記ふろ給湯電磁弁を制御する制御手段と、
前記ふろ湯量とは別に当該のふろ湯量よりも少ない量である予防ふろ湯量を設定する操作入力を受け付ける第２入力受付手段とを備え、
前記制御手段は、前記ヒートポンプユニットが前記貯湯タンク内の湯水を沸き上げている場合、前記浴槽に湯はりされる湯水の量が前記予防ふろ湯量となるよう前記ふろ給湯電磁弁を制御する
ことを特徴とする貯湯式給湯機。
【請求項５】
前記浴槽への湯はりの停止を設定する操作入力を受け付ける第３入力受付手段を更に備え、
前記制御手段は、前記浴槽への湯はりの停止が設定されている場合、前記ふろ用電動混合弁から出湯される湯水を浴槽へ供給しないよう前記ふろ給湯電磁弁を制御する
ことを特徴とする請求項３又は４に記載の貯湯式給湯機。
【請求項６】
湯水を貯留する貯湯タンクと、
前記貯湯タンク内の湯水を沸き上げるヒートポンプユニットと、
前記貯湯タンク内の湯を循環させるふろ循環熱源ポンプと、
浴槽内の湯水を循環させるふろ循環ポンプと、
前記ふろ循環熱源ポンプで循環させた前記貯湯タンク内の湯と前記ふろ循環ポンプで循環させた前記浴槽内の湯水とを熱交換し前記浴槽の湯水を追いだきする熱交換器と、
前記浴槽内の湯水を追いだきする際の温度である追いだき温度を設定する操作入力を受け付ける第１入力受付手段と、
前記浴槽内の湯水を追いだきする際の温度が前記追いだき温度となるように前記ふろ循環熱源ポンプと前記ふろ循環ポンプとを制御する制御手段と、
前記追いだき温度とは別に当該追いだき温度よりも低い温度である予防追いだき温度を設定する操作入力を受け付ける第２入力受付手段とを備え、
前記制御手段は、前記ヒートポンプユニットが前記貯湯タンク内の湯水を沸き上げている場合、前記浴槽内の湯水を追いだきする際の温度が前記予防追いだき温度となるように前記ふろ循環熱源ポンプと前記ふろ循環ポンプとを制御する
ことを特徴とする貯湯式給湯機。
【請求項７】
前記追いだきの停止を設定する操作入力を受け付ける第３入力受付手段を更に備え、
前記制御手段は、前記追いだきの停止が設定されている場合、前記浴槽内の湯水を追いだきしない
ことを特徴とする請求項６に記載の貯湯式給湯機。
【発明の詳細な説明】
【技術分野】
【０００１】
本発明は、貯湯式給湯機に関する。
【背景技術】
【０００２】
従来より、湯切れを防止するための運転機能を備える貯湯式給湯機の中には、貯湯タンク内の残湯量に応じて、蛇口から給湯される湯の温度を予め設定された給湯温度よりも低下させるものがある（例えば特許文献１参照）。
【先行技術文献】
【特許文献】
【０００３】
【特許文献１】特開２００４−１８３９３２号公報
【発明の概要】
【発明が解決しようとする課題】
【０００４】
この特許文献１に示される貯湯式給湯機では、使用者の意思に関係なく貯湯タンク内の残湯量に応じて、給湯する湯水の温度を自動的に低くする。このため、予め設定された給湯温度で給湯したい使用者にとっては、設定温度より低い温度での給湯を我慢して使用しなくてはならず、ストレスに感じられる恐れがあった。
【０００５】
本発明は、上記に鑑みてなされたものであって、使用者のストレスを軽減可能に湯切れ予防運転が可能な貯湯式給湯機を提供することを目的とする。
【課題を解決するための手段】
【０００６】
上述した課題を解決し、目的を達成するために、本発明は、貯湯式給湯機であって、湯水を貯留する貯湯タンクと、前記貯湯タンク内の湯水を沸き上げるヒートポンプユニットと、給湯する際に前記貯湯タンク内の湯と市水とを混合する給湯用電動混合弁と、給湯される湯水の温度である給湯温度を設定する操作入力を受け付ける第１入力受付手段と、前記給湯用電動混合弁から出湯される湯水が前記給湯温度となるよう前記給湯用電動混合弁を制御する制御手段と、前記給湯温度とは別に当該給湯温度よりも低い温度である予防給湯温度を設定する操作入力を受け付ける第２入力受付手段とを備え、前記制御手段は、前記ヒートポンプユニットが前記貯湯タンク内の湯水を沸き上げている場合、前記給湯用電動混合弁から出湯される湯水の温度が前記予防給湯温度となるよう前記給湯用電動混合弁を制御することを特徴とする。
【発明の効果】
【０００７】
本発明によれば、使用者のストレスを軽減しながら湯切れ予防運転が可能になる。
【図面の簡単な説明】
【０００８】
【図１】実施の形態１にかかる貯湯式給湯機のハードウェア構成を例示する図である。
【図２】同実施の形態にかかるリモコン３の外観を例示する図である。
【図３】同実施の形態にかかる湯切れ予防運転において給湯を制御するパターンの処理の手順を示すフローチャートである。
【図４】同実施の形態にかかる湯切れ予防運転において湯はり温度を制御するパターンの処理の手順を示すフローチャートである。
【図５】同実施の形態にかかる湯切れ予防運転において湯はり量を制御するパターンの処理の手順を示すフローチャートである。
【図６】同実施の形態にかかる湯切れ予防運転において追いだきを制御するパターンの処理の手順を示すフローチャートである。
【図７】実施の形態２にかかるリモコン３の外観を例示する図である。
【図８】同実施の形態にかかる湯切れ予防運転において給湯を制御するパターンの処理の手順を示すフローチャートである。
【図９】同実施の形態にかかる湯切れ予防運転において湯はりを制御する１つのパターンの処理の手順を示すフローチャートである。
【図１０】同実施の形態にかかる湯切れ予防運転において湯はりを制御する他のパターンの処理の手順を示すフローチャートである。
【図１１】同実施の形態にかかる湯切れ予防運転において追いだきを制御するパターンの処理の手順を示すフローチャートである。
【発明を実施するための形態】
【０００９】
以下に添付図面を参照して、この発明にかかる貯湯式給湯機の実施の形態を詳細に説明する。
【００１０】
実施の形態１．
図１は、湯切れ予防運転機能を備える貯湯式給湯機のハードウェア構成を例示する図である。貯湯式給湯機は、本体ユニット１と、ヒートポンプユニット２と、リモコン３とを備える。本体ユニット１は、減圧弁６と、貯湯タンク７と、逃し弁１１と、給湯用電動混合弁１３と、給湯用温度センサー１４と、給湯用流量センサー１５と、ふろ用電動混合弁１７と、ふろ給湯電磁弁１９と、ふろ用温度センサー２０と、ふろ用流量センサー２１と、ふろ循環ポンプ２４と、ふろ循環熱源ポンプ２５と、ふろ熱交換器２２と、追いだき温度センサー２３と、温度センサー８,９,１０と、ヒートポンプ循環ポンプ４と、バイパス電動弁２６と、本体ユニット制御部２７とを備える。
【００１１】
貯湯タンク７は、給水管路５５から供給される低温水を貯留すると共にヒートポンプユニット２で沸き上げられた湯を貯留する積層式の貯湯タンクであり、その下部には給水管路５５と貯湯用循環管路５６の往き管５０ａとが接続されており、上部には貯湯用循環管路５６の戻り管５０ｂと給湯管路９０とが接続されている。この貯湯タンク７は、給水管路５５からの給水により常に満水状態に保たれる。温度センサー８〜１０は、貯湯タンク７の湯水の温度（残湯温度という）を各々検出するものであり、例えば、貯湯タンク７の表面上に下部から上部にかけてこの順番で取り付けられている。給水管路５５は、市水等の水を貯湯タンク７、給湯管路９０、および所定の給湯先に供給する管路であり、減圧弁６、および第１〜第２給水管部５５ａ〜５５ｂを有している。減圧弁６は、第１給水管部５５ａの途中に設けられて、貯湯タンク７へ供給される市水の圧力を所定値以下に減じる。第１給水管部５５ａは水源と貯湯タンク７とを繋ぎ、第２給水管部５５ｂは減圧弁６の下流側で第１給水管部５５ａから分岐して該第１給水管部５５ａと後述のふろ用電動混合弁１７，給湯用電動混合弁１３とを繋ぐ。図示の例では、給湯先の例として１つの蛇口１６が示されている。
【００１２】
貯湯用循環管路５６は、貯湯タンク７の下部からヒートポンプユニット２中の冷媒・水熱熱交換器２８を経由して貯湯タンク７の上部に達する管路であり、貯湯用送水ポンプ４、バイパス電動弁２６、往き管５６ａ、戻り管５６ｂ、およびバイパス管５６ｃを有している。ヒートポンプ循環ポンプ４は、往き管５６ａに設けられている。バイパス電動弁２６は、戻り管５６ｂに設けられている。往き管５６ａは貯湯タンク７の下部と冷媒・水熱熱交換器２８とを繋ぎ、戻り管５６ｂは冷媒・水熱熱交換器２８と貯湯タンク７の上部とを繋ぎ、バイパス管５６ｃはバイパス電動弁２６と戻り管５６ｂとを繋ぐ。貯湯タンク７内の水をヒートポンプユニット２で湯に沸き上げる沸上げ運転の初期段階では、ヒートポンプユニット２による湯の沸上げ温度が低いので、十分な温度の湯が沸き上げられるようになるまではバイパス電動弁２６でのバイパス管５６ｃ側の流出路が開弁され、戻り管５６ｃ下流側の流出路が閉弁される。
【００１３】
熱源側循環管路６０は、貯湯タンク７の上部からふろ熱交換器２２を経由して貯湯タンク７の下部に達する管路であり、ふろ循環熱源ポンプ２５と、往き管６０ａと、戻り管６０ｂとを有している。ふろ循環熱源ポンプ２５は戻り管６０ｂに設けられている。往き管６０ａは貯湯タンク７の上部とふろ熱交換器２２の上部とを繋ぎ、戻り管６０ｂはふろ熱交換器２２の下部と貯湯タンク７の下部とを繋ぐ。ふろ循環熱源ポンプ２５は、貯湯タンク７の湯水を熱源側循環管路６０に循環させる。ふろ熱交換器２２は、ふろ循環熱源ポンプ２５で循環させた貯湯タンク７の湯とふろ循環ポンプ２４で負荷側循環管路７０に循環させた浴槽５の湯水を熱交換する。
【００１４】
負荷側循環管路７０は、浴槽５からふろ熱交換器２２を経由して再び浴槽５に戻る管路であり、追いだき温度センサー２３、ふろ循環ポンプ２４、往き管７０ａ、および戻り管７０ｂを有している。追いだき温度センサー２３およびふろ循環ポンプ２４は往き管７０ａに設けられている。往き管７０ａは浴槽５とふろ熱交換器２２の下部とを繋ぎ、戻り管７０ｂはふろ熱交換器２２の上部と浴槽５とを繋ぐ。追いだき温度センサー２３は往き管７０ａ内の湯水の温度を検知する。ふろ循環ポンプ２４は、浴槽５内の湯水を負荷側循環管路７０に循環させる。
【００１５】
給湯管路９０は、貯湯タンク７に貯留された湯と第２給水管部５５ｂからの水とをふろ用電動混合弁１７または給湯用電動混合弁１３で混合して所定温度の湯に調整し、該湯を浴槽５や所定の給湯先、図示の例では蛇口１６に供給する。この給湯管路９０は、貯湯タンク７の上部とふろ用電動混合弁１７及び給湯用電動混合弁１３の各々とを繋ぐ第１給湯管部９０ａ、ふろ用電動混合弁１７と負荷側循環管路７０の戻り管７０ｂとを繋ぐ第２給湯管部９０ｂ、および給湯用電動混合弁１３と給湯先（蛇口１６）とを繋ぐ第３給湯管部９０ｃとを有している。給湯用電動混合弁１３およびふろ用電動混合弁１７は、第１給湯管部９０ａからの湯と第２給水管部５５ｂからの水とを混合する。第２給湯管部９０ｂにはふろ給湯電磁弁１９、ふろ用温度センサー２０、およびふろ用流量センサー２１が設けられており、第３給湯管部９０ｃには給湯用温度センサー１４および給湯用流量センサー１５が設けられている。ふろ給湯電磁弁１９は、ふろ用電動混合弁１７で所定温度に調整された湯を浴槽５に供給するときに開弁する。ふろ用温度センサー２０は、第２給湯管部９０ｂを流れる湯水の温度を検出する。ふろ用流量センサー２１は、第２給湯管部９０ｂを流れる湯水の流量を検出する。給湯用温度センサ１４は、給湯用電動混合弁１３から出湯される湯水の温度を検出する。給湯用温度センサ１５は、第３給湯管部９０ｃを流れる湯水の流量を検出する。第１給湯管部９０ａでの貯湯タンク７側の端部から膨張水排出管９５が分岐し、この膨張水排出管９５に逃し弁１１が設けられている。逃し弁１１は、湯の沸上げにより貯湯タンク７内に膨張水が生じて該貯湯タンク７の内圧、ひいては膨張水排出管９５の内圧が所定値を超えたときに開弁して、膨張水を貯湯タンク７の外部に排出する。
【００１６】
ヒートポンプユニット２は、ヒートポンプ循環ポンプ４を介して循環される貯湯タンク７の湯水を沸き上げるものであり、放熱器に相当する冷媒・水熱交換器２８と、膨張弁２９と、空気熱交換器３０と、冷媒を圧縮するコンプレッサー３１と、これらを環状に接続する循環配管とを有する冷凍サイクル部及び当該冷凍サイクル部の動作を制御するヒートポンプユニット制御部３２とを有し、熱源機として機能する。冷凍サイクル部では、二酸化炭素等の冷媒がコンプレッサー３１で圧縮されて高温、高圧となった後に冷媒・水熱交換器２８で放熱し、膨張弁２９で減圧され、空気熱交換器３０で吸熱してガス状態となってコンプレッサー３１に吸入される。この冷凍サイクル部は、ヒートポンプユニット制御部３２と一緒にユニットケースに納められており、ヒートポンプユニット制御部３２は、本体ユニット制御部２７に接続されて本体ユニット制御部２７により動作制御される。したがって、ヒートポンプユニット２は本体ユニット制御部２７により動作制御される。
【００１７】
リモコン３は、使用者からの操作が入力される操作入力装置である。図２は、リモコン３の外観を例示する図である。リモコン３は、動作表示部３３と、給湯温度スイッチ３４と、ふろ温度スイッチ３５と、ふろ湯量スイッチ３６と、ふろ自動スイッチ３７と、追いだきスイッチ３８と、予防運転設定部３９と、予防運転表示部４０とを有する。予防運転設定部３９は、予防給湯温度スイッチ４１と、予防ふろ温度スイッチ４２と、予防ふろ湯量スイッチ４３と、予防追いだき温度スイッチ４４とを有する。予防運転表示部４０は、予防給湯温度表示部４５と、予防ふろ温度表示部４６と、予防ふろ湯量表示部４７と、予防追いだき温度表示部４８とを有する。
【００１８】
動作表示部３３は、給湯温度や、ふろ温度や、時刻を表示する。給湯温度スイッチ３４は、給湯配管（第３給湯管部９０ｃ）を介して蛇口１６から給湯する温度ｔｋ（℃）を設定するための入力スイッチである。ふろ温度スイッチ３５は、浴槽５に湯はりする温度（湯はり温度）ｔｆ（℃）及び湯はり温度と同じ温度で浴槽５の湯水を追いだきする追いだき温度ｔｏ（℃）を設定するための入力スイッチである。ふろ湯量スイッチ３６は、浴槽５に湯はりする湯量（湯はり量）ｖｆ（Ｌ）を設定するための入力スイッチである。ふろ自動スイッチ３７は、浴槽５に自動で湯はりをするふろ自動機能を実現させるために、ふろ温度スイッチ３５により設定された湯はり温度ｔｆ（℃）とふろ湯量スイッチ３６により設定された湯はり量ｖｆ（Ｌ）で浴槽５に湯はりをするための入力スイッチである。追いだきスイッチ３８は、ふろ自動スイッチ３７とふろ温度スイッチ３５により設定された追いだき温度ｔｏ（℃）で浴槽５の湯水を追いだきするための入力スイッチである。
【００１９】
予防給湯温度スイッチ４１は、給湯温度スイッチ３４により設定した給湯温度ｔｋ（℃）とは別に給湯温度ｔｋ（℃）より低い給湯温度（予防給湯温度）を設定するための入力スイッチである。予防給湯温度表示部４５は、予防給湯温度スイッチ４１により設定された予防給湯温度ｔｙｋ（℃）を表示する。予防ふろ温度スイッチ４２は、ふろ温度スイッチ３５により設定されたふろ温度ｔｆ（℃）とは別にふろ温度ｔｆ（℃）より低いふろ温度（予防ふろ温度）を設定するための入力スイッチである。予防ふろ温度表示部４６は、予防ふろ温度スイッチ４２により設定された予防ふろ温度ｔｙｆ（℃）を表示する。予防ふろ湯量スイッチ４３は、ふろ湯量スイッチ３６により設定されたふろ湯量ｖｆ（Ｌ）とは別にふろ湯量ｖｆ（Ｌ）より少ないふろ湯量（予防ふろ湯量）を設定するための入力スイッチである。予防ふろ湯量表示部４７は、予防ふろ湯量スイッチ４３により設定された予防ふろ湯量ｖｙ（Ｌ）を表示する。予防追いだき温度スイッチ４４は、ふろ温度スイッチ３５により設定された追いだき温度ｔｏ（℃）とは別に追いだき温度ｔｏ（℃）より低い追いだき温度（予防追いだき温度）を設定するための入力スイッチである。予防追いだき温度表示部４８は、予防追いだき温度スイッチ４４により設定された予防追いだき温度ｔｙｏ（℃）を表示する。この他、図示していないが、リモコン３は、貯湯タンク内の湯水を沸き上げる温度（沸き上げ設定温度）を予め設定するための入力スイッチを有する。
【００２０】
以上のような構成において、本体ユニット制御部２７は、リモコン３を介して使用者の操作入力を受け付け、当該操作入力に応じて、湯切れ予防運転のための各種処理を行う。この処理について４つのパターンに分けて説明する。尚、貯湯タンク７の残湯が少なくなり、残湯温度が沸き上げ設定温度より低い場合、本体ユニット制御部２７は、ヒートポンプユニット２による貯湯タンク７内の湯水の沸き上げを行い、残湯温度が沸き上げ設定温度以上である場合には、ヒートポンプユニット２による貯湯タンク７内の湯水の沸き上げを行なわない。
【００２１】
（パターンＡ１）ヒートポンプユニット２による貯湯タンク７内の湯水の沸き上げ中、本体ユニット制御部２７は、予防給湯温度スイッチ４１により予め設定された予防給湯温度になるよう給湯を制御する。ヒートポンプユニット２による貯湯タンク７内の湯水の沸き上げを行わない場合には、本体ユニット制御部２７は、給湯温度スイッチ３４により予め設定された給湯温度になるよう給湯を制御する。
【００２２】
（パターンＡ２）ヒートポンプユニット２による貯湯タンク７内の湯水の沸き上げ中、本体ユニット制御部２７は、予防ふろ温度スイッチ４２により予め設定された予防湯はり温度になるよう湯はりを制御する。ヒートポンプユニット２による貯湯タンク７内の湯水の沸き上げを行わない場合には、本体ユニット制御部２７は、ふろ温度スイッチ３５により予め設定されたふろ温度になるよう湯はりを制御する。
【００２３】
（パターンＡ３）ヒートポンプユニット２による貯湯タンク７内の湯水の沸き上げ中、本体ユニット制御部２７は、予防ふろ湯量スイッチ４３により予め設定された予防ふろ量になるよう湯はりを制御する。ヒートポンプユニット２による貯湯タンク７内の湯水の沸き上げを行わない場合には、本体ユニット制御部２７は、ふろ湯量スイッチ３６により予め設定されたふろ湯量になるよう湯はりを制御する。
【００２４】
（パターンＡ４）ヒートポンプユニット２による貯湯タンク７内の湯水の沸き上げ中、本体ユニット制御部２７は、予防追いだき温度スイッチ４４により予め設定された予防追いだき温度になるよう追いだきを制御する。ヒートポンプユニット２による貯湯タンク７内の湯水の沸き上げを行わない場合には、本体ユニット制御部２７は、ふろ温度スイッチ３５により予め設定された追いだき温度になるよう追いだきを制御する。
【００２５】
尚、貯湯式給湯機は、以上の各パターンのいずれか１つの処理を行うようにしても良いし、これらのうち２つ以上の処理を行うようにしても良い。また、各パターンに対応した操作部や表示部のみを備えるようにしてもよい。また、表示に関しては動作表示部３３にまとめて表示してもよい。
【００２６】
次に、本実施の形態に係る貯湯式給湯機の湯切れ予防運転の処理手順を説明する。
【００２７】
<パターンＡ１：給湯制御＞
まず、給湯を制御するパターンについて図３を用いて説明する。使用者が給湯を行うと貯湯タンク７の湯水の温度が低下するため、温度センサー８，９，１０で貯湯タンク７の湯水の残湯温度ｔｚ（℃）を常時検出し、本体ユニット制御部２７は、検出された残湯温度ｔｚ（℃）と、貯湯タンク７の沸き上げ設定温度ｔｗ（℃）とを比較する（ステップＳ１）。残湯温度ｔｚ（℃）が沸き上げ設定温度ｔｗ（℃）より低い場合は（ステップＳ１：ＹＥＳ）、本体ユニット制御部２７は、貯湯タンク７の湯の沸き上げを開始するよう制御する（ステップＳ２）。貯湯タンク７の湯水の沸き上げ中は、給湯配管（第３給湯管部９０ｃ）の湯水の流れを給湯用流量センサー１５で検出し、本体ユニット制御部２７は、湯水の流れがあったか否かにより、蛇口１６が開けられたかどうかを常時監視する（ステップＳ４）。給湯用流量センサー１５で第３給湯管部９０ｃの湯水の流れを検出した場合は（ステップＳ４：ＹＥＳ）、本体ユニット制御部２７は、給湯用電動混合弁１３から出湯される湯水の温度が、リモコン３に備えられた予防給湯温度スイッチ４１により予め設定された予防給湯温度ｔｙｋ（℃）になるように給湯用電動混合弁１３による市水と貯湯タンク７からの湯との混合比を調整し、給湯を制御する（ステップＳ６）。
【００２８】
一方、残湯温度ｔｚ（℃）が沸き上げ設定温度ｔｗ（℃）以上である場合は（ステップＳ１：ＮＯ）、本体ユニット制御部２７は、貯湯タンク７の湯水の沸き上げを停止するよう制御する(ステップＳ３)。この場合も、本体ユニット制御部２７は、第３給湯管部９０ｃの湯水の流れを給湯用流量センサー１５で検出し、湯水の流れがあったか否かにより、蛇口１６が開けられたかどうか常時監視する（ステップＳ５）。給湯用流量センサー１５で第３給湯管部９０ｃの湯水の流れを検出した場合は（ステップＳ５：ＹＥＳ）、本体ユニット制御部２７は、給湯用電動混合弁１３から出湯される湯水の温度が、リモコン３に備えられた給湯温度スイッチ３４により予め設定された給湯温度ｔｋ（℃）になるように給湯用電動混合弁１３による市水と貯湯タンク７からの湯との混合比を調整し、給湯を制御する（ステップＳ７）。
【００２９】
尚、ステップＳ４又はステップＳ５で、給湯用流量センサー１５で第３給湯管部９０ｃの湯水の流れを検出しない場合は（ステップＳ４：ＮＯ又はステップＳ５：ＮＯ）、本体ユニット制御部２７は、給湯が停止されているので、給湯用電動混合弁１３の制御は特に行なわない。
【００３０】
以上のように、リモコン３に備えられた予防給湯温度スイッチ４１で通常の給湯温度より低い予防給湯温度を使用者が予め設定しておくと、貯湯タンク７の残湯が少なくなり貯湯タンク７の沸き上げ中は、給湯温度から予防給湯温度に自動で変更して給湯する。このため、使用者が湯切れを心配して給湯温度を設定し直す手間がなく、使用者の所望の予防給湯温度に変更されるので、使用者はストレスを感じることなく湯切れを防止しながら給湯機を使用することができる。このため、以上の構成によれば、使用者の利便性を向上させることができる。
【００３１】
＜パターンＡ２：湯はり温度制御＞
次に、湯切れ予防運転において、湯はり温度を制御するパターンについて図４を用いて説明する。ステップＳ１〜Ｓ３は図３で説明したものと同様であるため説明を省略する。ステップＳ２の後貯湯タンク７の湯水の沸き上げ中は、本体ユニット制御部２７は、リモコン３に備えられたふろ自動スイッチ３７が押されたか常時監視する（ステップＳ９）。ふろ自動スイッチ３７が押された場合は（ステップＳ９：ＹＥＳ）、本体ユニット制御部２７は、浴槽５に湯はりする湯水でありふろ用電動混合弁１７から出湯される湯水の温度が、リモコン３に備えられた予防ふろ温度スイッチ４２により予め設定された予防ふろ温度ｔｙｆ（℃）になるように制御し、ふろ給湯電磁弁１９を開いて、湯はりを制御する（ステップＳ１１）。一方、ステップＳ３の後貯湯タンク７の湯水の沸き上げ停止中の場合も、本体ユニット制御部２７は、リモコン３に備えられたふろ自動スイッチ３７が押されたか常時監視する（ステップＳ１０）。ふろ自動スイッチ３７が押された場合は（ステップＳ１０：ＹＥＳ）、本体ユニット制御部２７は、浴槽５に湯はりする湯水の温度が、リモコン３に備えられたふろ温度スイッチ３５により予め設定されたふろ温度ｔｆ（℃）になるようにふろ用電動混合弁１７を制御し、ふろ給湯電磁弁１９を開いて、湯はりを制御する（ステップＳ１２）。尚、ステップＳ９又はステップＳ１０で、ふろ自動スイッチ３７が押されていない場合は（ステップＳ９：ＮＯ又はステップＳ１０：ＮＯ）、本体ユニット制御部２７は、ふろ給湯電磁弁１９を開かない。
【００３２】
以上のように、リモコン３に備えられた予防ふろ温度スイッチ４２で通常のふろ温度より低い予防ふろ温度を使用者が予め設定しておくと、貯湯タンク７の残湯が少なくなり貯湯タンク７の沸き上げ中は、ふろ温度から予防ふろ温度に自動で変更して湯はりする。このため、使用者が湯切れを心配してふろ温度を設定しなおす手間がなく、使用者の所望の予防ふろ温度に変更されるので、使用者はストレスを感じることなく湯切れを防止しながら給湯機を使用することができる。このため、以上の構成によれば、使用者の利便性を向上させることができる。
【００３３】
＜パターンＡ３：湯はり量制御＞
次に、湯切れ予防運転において、湯はり量を制御するパターンについて図５を用いて説明する。ステップＳ１〜Ｓ３は図３で説明したものと同様であり、ステップＳ９〜Ｓ１０は図４で説明したものと同様であるため説明を省略する。ステップＳ９でふろ自動スイッチ３７が押された場合は、本体ユニット制御部２７は、貯湯タンク７の湯及び市水をふろ用電動混合弁１７で混合した湯水をふろ給湯電磁弁１９を開いて湯はりしてその湯はり量をふろ用流量センサー２１で検出し、リモコン３に備えられた予防ふろ湯量スイッチ４３により予め設定された予防ふろ湯量ｖｙ（Ｌ）に到達するとふろ給湯電磁弁１９を閉じるように、湯はりを制御する（ステップＳ１４）。一方ステップＳ１０でふろ自動スイッチ３７が押された場合も、本体ユニット制御部２７は、貯湯タンク７の湯と市水をふろ用電動混合弁１７で混合した湯水をふろ給湯電磁弁１９を開いて湯はりしてその湯はり量をふろ用流量センサー２１で検出し、リモコン３に備えられたふろ湯量スイッチ３６により予め設定されたふろ湯量ｖｆ（Ｌ）に到達するとふろ給湯電磁弁１９を閉じるように、湯はりを制御する（ステップＳ１５）。尚、ステップＳ９又はステップＳ１０で、ふろ自動スイッチ３７が押されていない場合は（ステップＳ９：ＮＯ又はステップＳ１０：ＮＯ）、本体ユニット制御部２７は、ふろ給湯電磁弁１９を開かない。
【００３４】
以上のように、本実施の形態においては、リモコン３に備えられた予防ふろ湯量スイッチ４３で通常のふろ湯量より少ない予防ふろ湯量を使用者が予め設定しておくと、貯湯タンク７の残湯が少なくなり、貯湯タンク７の湯の沸き上げ中は、ふろ湯量から予防ふろ湯量に自動で変更して湯はりする。このため、使用者が湯切れを心配してふろ湯量を設定しなおす手間がなく、使用者の所望の予防ふろ湯量に変更されるので、使用者はストレスを感じることなく湯切れを防止しながら給湯機を使用することができる。このため、本実施の形態によれば、使用者の利便性を向上させることができる。
【００３５】
＜パターンＡ４：追いだき制御＞
次に、湯切れ予防運転において、追いだきを制御するパターンについて図６を用いて説明する。ステップＳ１〜Ｓ３は図３で説明したものと同様であるため説明を省略する。ステップＳ２の後貯湯タンク７の湯水の沸き上げ中は、本体ユニット制御部２７は、リモコン３に備えられた追いだきスイッチ３８が押されたか常時監視する（ステップＳ１７）。追いだきスイッチ３８が押された場合は（ステップＳ１７：ＹＥＳ）、本体ユニット制御部２７は、ふろ循環ポンプ２４により浴槽５の湯水を循環させ、ふろ循環熱源ポンプ２５により貯湯タンク７の湯水を循環させ、ふろ熱交換器２２により熱交換し、浴槽５の湯水の温度を追いだき温度センサー２３で検出し、リモコン３に備えられた予防追いだき温度スイッチ４４により予め設定された予防追いだき温度ｔｙｏ（℃）に到達するまで追いだきをするよう制御する（ステップＳ１９）。一方ステップＳ３の後貯湯タンク７の湯水の沸き上げ停止中の場合も、本体ユニット制御部２７は、前記リモコン３に備えられた追いだきスイッチ３８が押されたか常時監視する（ステップＳ１８）。追いだきスイッチ３８が押された場合は（ステップＳ１８：ＹＥＳ）、本体ユニット制御部２７は、ふろ循環ポンプ２４により浴槽５の湯水を循環させ、ふろ循環熱源ポンプ２５により貯湯タンク７の湯水を循環させ、ふろ熱交換器２２により熱交換し、浴槽５の湯水の温度を追いだき温度センサー２３で検出し、リモコン３に備えられたふろ温度スイッチ３５により予め設定された追いだき温度ｔｏ（℃）に到達するまで追いだきをするよう、ふろ循環ポンプ２４とふろ循環熱源ポンプ２５とを制御する（ステップＳ２０）。尚、ステップＳ１７又はステップＳ１８で、追いだきスイッチ３８が押されていない場合は（ステップＳ１７：ＮＯ又はステップＳ１８：ＮＯ）、本体ユニット制御部２７は、追いだきを行なわない。
【００３６】
以上のように、本実施の形態においては、リモコン３に備えられた予防追いだき温度スイッチ４４で通常の追いだき温度より低い予防追いだき温度を使用者が予め設定しておくと、貯湯タンク７の残湯が少なくなり、貯湯タンク７の湯の沸き上げ中は、追いだき温度から予防追いだき温度に自動で変更して追いだきするので、使用者が湯切れを心配して追いだき温度を設定しなおす手間がなく、使用者の所望の予防追いだき温度に変更されるので、使用者はストレスを感じることなく湯切れを防止しながら給湯機を使用することができる。このため、本実施の形態によれば、使用者の利便性を向上させることができる。
【００３７】
実施の形態２．
次に、貯湯式給湯機の実施の形態２について説明する。なお、上述の実施の形態１と同一部分または相当部分は同一符号を付し説明を省略する。
【００３８】
（１）構成
本実施の形態において上述の実施の形態１と異なる点は以下の点である。図７は、本実施の形態にかかるリモコン３の外観を例示する図である。リモコン３は、給湯停止スイッチ４９と、ふろ自動停止スイッチ５０と、追いだき停止スイッチ５１と、を有する。給湯停止スイッチ４９は、給湯を停止するための入力スイッチである。ふろ自動停止スイッチ５０は、ふろ自動機能を停止するための入力スイッチである。追いだき停止スイッチ５１は、追いだきを停止するための入力スイッチである。
【００３９】
以上のような構成において、本体ユニット制御部２７は、リモコン３を介して使用者の操作入力を受け付け、当該操作入力に応じて、湯切れ予防運転のための各種処理を行う。この処理について４つのパターンに分けて説明する。
【００４０】
（パターンＢ１）ヒートポンプユニット２による貯湯タンク７内の湯水の沸き上げ中、本体ユニット制御部２７は、給湯停止スイッチ４９により給湯停止状態が設定される場合には、予防給湯温度スイッチ４１により予防給湯温度が設定されていても、給湯を停止して、貯湯タンク７の湯は給湯しないで市水のみを給水するように給湯を制御する。給湯停止スイッチ４９により給湯停止状態が設定されていない場合には、本体ユニット制御部２７は、予防給湯温度スイッチ４１により予め設定された予防給湯温度になるよう給湯を制御する。
【００４１】
（パターンＢ２）ヒートポンプユニット２による貯湯タンク７内の湯水の沸き上げ中、本体ユニット制御部２７は、ふろ自動停止スイッチ５０によりふろ自動機能停止状態が設定される場合には、ふろ自動スイッチ３７が押されても、湯はりしないよう制御する。ふろ自動停止スイッチ５０によりふろ自動機能停止状態が設定されていない場合には、本体ユニット制御部２７は、ふろ自動スイッチ３７が押された場合、ふろ温度スイッチ３５により予め設定されたふろ温度になるよう湯はりを制御する。
【００４２】
（パターンＢ３）ヒートポンプユニット２による貯湯タンク７内の湯水の沸き上げ中、本体ユニット制御部２７は、ふろ自動停止スイッチ５０によりふろ自動機能停止状態が設定される場合には、ふろ自動スイッチ３７が押されても、湯はりしないよう制御する。ふろ自動停止スイッチ５０によりふろ自動機能停止状態が設定されていない場合には、本体ユニット制御部２７は、ふろ自動スイッチ３７が押された場合、予防ふろ湯量スイッチ４３により予め設定された予防ふろ量になるよう湯はりを制御する。
【００４３】
（パターンＢ４）ヒートポンプユニット２による貯湯タンク７内の湯水の沸き上げ中、追いだき停止スイッチ５１により追いだき停止状態が設定される場合には、本体ユニット制御部２７は、追いだきスイッチ３８が押されても、追いだきをしないよう制御する。追いだき停止スイッチ５１により追いだき停止状態が設定されていない場合には、本体ユニット制御部２７は、予防追いだき温度スイッチ４４により予め設定された予防追いだき温度になるよう追いだきを制御する。
【００４４】
尚、貯湯式給湯機は、以上の各パターンのいずれか１つの処理を行うようにしても良いし、これらのうち２つ以上の処理を行うようにしても良い。また、各パターンに対応した操作部や表示部のみを備えるようにしてもよい。また、表示に関しては動作表示部３３にまとめて表示してもよい。
【００４５】
＜パターンＢ１：給湯制御＞
次に、本実施の形態にかかる貯湯式給湯機の湯切れ予防運転の処理の手順について説明する。まず、給湯を制御するパターンについて図８を用いて説明する。ステップＳ１〜Ｓ８は図３で説明したものと同様であるため説明を省略する。ステップＳ４で、貯湯タンク７の湯の沸き上げ中に給湯配管（第３給湯管部９０ｃ）の給湯用流量センサー１５で湯水の流れを検出した場合、本体ユニット制御部２７は、リモコン３に備えられた給湯停止スイッチ４９が押され、給湯停止状態になっているか確認する（ステップＳ２２）。給湯停止状態になっている場合は（ステップＳ２２：ＹＥＳ）、本体ユニット制御部２７は、リモコン３に備えられた予防給湯温度スイッチ４１により予防給湯温度ｔｙｋ（℃）が設定されていても、給湯を停止して、貯湯タンク７の湯は出湯しないで市水のみを出水するように給湯用電動混合弁１３を制御する（ステップＳ２３）。一方、給湯停止状態になっていない場合は（ステップＳ２２：ＮＯ）、本体ユニット制御部２７は、給湯用電動混合弁１３から出湯される湯水の温度が、リモコン３に備えられた予防給湯温度スイッチ４１により予め設定された予防給湯温度ｔｙｋ（℃）になるように給湯用電動混合弁１３を開いて、給湯を制御する（ステップＳ６）。
【００４６】
以上のように、リモコン３に備えられた給湯停止スイッチ４９により給湯の停止を使用者が予め設定しておくと、貯湯タンク７の湯の沸き上げ中において、貯湯タンク７の残湯が少なくなっていることを使用者が忘れて給湯をしようとしても、貯湯タンク７内の湯を給湯せず市水のみを給水することで、湯切れを防止することができる。
【００４７】
＜パターンＢ２：湯はり温度制御＞
次に、湯切れ予防運転において、湯はりを制御する１つのパターンについて図９を用いて説明する。まず、ステップＳ１〜Ｓ３は図３で説明したものと同様であり、ステップＳ９〜Ｓ１３は図４で説明したものと同様であるため説明を省略する。ステップＳ２の後、貯湯タンク７の湯の沸き上げ中に、リモコン３に備えられたふろ自動スイッチ３７が押された場合（ステップＳ９：ＹＥＳ）、本体ユニット制御部２７は、リモコン３に備えられたふろ自動停止スイッチ５０が押され、ふろ自動機能停止状態になっているか確認する（ステップＳ２４）。ふろ自動機能停止状態になっている場合は(ステップＳ２４：ＹＥＳ)、本体ユニット制御部２７は、ふろ自動スイッチ３７による操作入力を受け付けず、リモコン３に備えられた予防ふろ温度スイッチ４２により予防ふろ温度ｔｙｆ（℃）が設定されていても、ふろ給湯電磁弁１９を開かず、湯はりしないよう制御する（ステップＳ２５）。一方、ふろ自動機能停止状態になっていない場合は(ステップＳ２４：ＮＯ)、本体ユニット制御部２７は、浴槽５に湯はりする湯水でありふろ用電動混合弁１７から出湯される湯水の温度が、リモコン３に備えられた予防ふろ温度スイッチ４２により予め設定された予防ふろ温度ｔｙｆ（℃）になるように制御し、ふろ給湯電磁弁１９を開いて、湯はりを制御する（ステップＳ１１）。
【００４８】
以上のように、リモコン３に備えられたふろ自動スイッチ３７によりふろ自動機能の停止を使用者が予め設定しておくと、貯湯タンク７の残湯が少なくなり、貯湯タンク７の沸き上げ中において、貯湯タンク７の残湯が少なくなっていることを使用者が忘れて湯はりをしようと操作しても、その操作を受付けないので湯切れを防止することができる。
【００４９】
＜パターンＢ３：湯はり量制御＞
次に、湯切れ予防運転において、湯はりを制御する他のパターンについて図１０を用いて説明する。ステップＳ１〜Ｓ３は図３で説明したものと同様であり、ステップＳ９〜Ｓ１０は図４で説明したものと同様であり、ステップＳ１４〜Ｓ１６は図５で説明したものと同様であるため説明を省略する。ステップＳ２の後、貯湯タンク７の湯水の沸き上げ中に、リモコン３に備えられたふろ自動スイッチ３７が押された場合（ステップＳ９：ＹＥＳ）、本体ユニット制御部２７は、リモコン３に備えられたふろ自動停止スイッチ５０が押され、ふろ自動機能停止状態になっているか確認する（ステップＳ２６）。ふろ自動機能停止状態になっている場合(ステップＳ２６：ＹＥＳ)、本体ユニット制御部２７は、ふろ自動スイッチ３７による操作入力を受け付けず、リモコン３に備えられた予防ふろ湯量スイッチ４３により予防ふろ湯量ｖｙ（Ｌ）が設定されていても、ふろ給湯電磁弁１９を開かず、湯はりしないよう制御する（ステップＳ２７）。一方、ふろ自動機能停止状態になっていない場合(ステップＳ２６：ＮＯ)、本体ユニット制御部２７は、貯湯タンク７の湯及び市水をふろ給湯電動弁１９で混合した湯水をふろ給湯電磁弁１９を開いて湯はりしてその湯はり量をふろ用流量センサー２１で検出し、リモコン３に備えられた予防ふろ湯量スイッチ４３により予め設定された予防ふろ湯量ｖｙ（Ｌ）に到達するとふろ給湯電磁弁１９を閉じるように、湯はりを制御する（ステップＳ１４）。
【００５０】
以上のように、リモコン３に備えられたふろ自動スイッチ３７によりふろ自動機能の停止を使用者が予め設定しておくことで、貯湯タンク７の湯の沸き上げ中において、貯湯タンク７の残湯が少なくなっていることを使用者が忘れて湯はりの操作をしても、その操作を受付けないので湯切れを防止することができる。
【００５１】
<パターンＢ４：追いだき制御＞
次に、湯切れ予防運転において、追いだきを制御するパターンについて図１１を用いて説明する。ステップＳ１〜Ｓ３は図３で説明したものと同様であり、ステップＳ９〜Ｓ１０は図４で説明したものと同様であり、ステップＳ１７〜Ｓ２１は図６で説明したものと同様であるため説明を省略する。ステップＳ２の後、貯湯タンク７の湯水の沸き上げ中に、リモコン３に備えられた追いだきスイッチ３８が押された場合（ステップＳ１７：ＹＥＳ）、本体ユニット制御部２７は、リモコン３に備えられた追いだき停止スイッチ５１が押され、追いだき停止状態になっているか確認する（ステップＳ２８）。追いだき停止状態になっている場合は（ステップＳ２８：ＹＥＳ）、本体ユニット制御部２７は、追いだきスイッチ３８による操作入力を受け付けず、リモコン３に備えられた予防追いだき温度スイッチ４４により予防追いだき温度ｔｙｏ（℃）が設定されていても、追いだきしないよう制御する（ステップＳ２９）。一方、追いだき停止状態になっていない場合は（ステップＳ２８：ＮＯ）、本体ユニット制御部２７は、ふろ循環ポンプ２４により浴槽５の湯水を循環させ、ふろ循環熱源ポンプ２５により貯湯タンク７の湯水を循環させ、ふろ熱交換器２２により熱交換し、浴槽５の湯水の温度を追いだき温度センサー２３で検出し、リモコン３に備えられた予防追いだき温度スイッチ４４により予め設定された予防追いだき温度ｔｙｏ（℃）に到達するまで追いだきをするよう、ふろ循環ポンプ２４とふろ循環熱源ポンプ２５とを制御する（ステップＳ１９）。
【００５２】
以上のように、リモコン３に備えられた追いだき停止スイッチ５１により追いだきの低停止を使用者が予め設定しておくと、貯湯タンク７の残湯が少なくなり、貯湯タンク７の湯の沸き上げ中において、貯湯タンク７の残湯が少なくなっていることを使用者が忘れて追いだきをしようと操作しても、その操作を受付けないので湯切れを防止することができる。
【００５３】
[変形例]
なお、本発明は前記実施形態そのままに限定されるものではなく、実施段階ではその要旨を逸脱しない範囲で構成要素を変形して具体化できる。また、前記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００５４】
１  本体ユニット
２  ヒートポンプユニット
３  リモコン
５  浴槽
７  貯湯タンク
１３  給湯用電動混合弁
１７  ふろ用電動混合弁
１９  ふろ給湯電磁弁
２２  ふろ熱交換器
２４  ふろ循環ポンプ
２５  ふろ循環熱源ポンプ
２７  本体ユニット制御部（制御手段）
３２  ヒートポンプユニット制御部
３３  動作表示部
３４  給湯温度スイッチ（第１入力受付手段）
３５  ふろ温度スイッチ（第１入力受付手段）
３６  ふろ湯量スイッチ（第１入力受付手段）
３７  ふろ自動スイッチ
３８  追いだきスイッチ（第１入力受付手段）
３９  予防運転設定部
４０  予防運転表示部
４１  予防給湯温度スイッチ（第２入力受付手段）
４２  予防ふろ温度スイッチ（第２入力受付手段）
４３  予防ふろ湯量スイッチ（第２入力受付手段）
４４  予防追いだき温度スイッチ（第２入力受付手段）
４５  予防給湯温度表示部
４６  予防ふろ温度表示部
４７  予防ふろ湯量表示部
４８  予防追いだき温度表示部
４９  給湯停止スイッチ（第３入力受付手段）
５０  ふろ自動停止スイッチ（第３入力受付手段）
５１  追いだき停止スイッチ（第３入力受付手段）
【図１】
2010276292.tif 000003
【図２】
2010276292.tif 000004
【図３】
2010276292.tif 000005
【図４】
2010276292.tif 000006
【図５】
2010276292.tif 000007
【図６】
2010276292.tif 000008
【図７】
2010276292.tif 000009
【図８】
2010276292.tif 000010
【図９】
2010276292.tif 000011
【図１０】
2010276292.tif 000012
【図１１】
2010276292.tif 000013